(57)【要約】【課題】  本発明は、製餅工場の包装作業場において、飾り鏡餅を載置する三方の組み立て作業が円滑かつ迅速にできるようにすることを目的とする。【解決手段】  本発明に係る三方は、脚部１を構成する相対する枠部１'，１'の上側縁部に折曲線を介して突設した係止片２，２の左右両端部３，３を脚部の上辺部４，４を残して円弧状に形成するとともに切込み部５，５を設け、脚部を構成する他の相対する枠部の上側縁部に折曲線を介して設けた抑止支持片６，６の左右両端部７，７を脚部の折畳み角部８，８，８，８から連続して垂直に立つようにし、この抑止支持片は脚部の相対する枠部の内側方に曲折して前記係止片側の両枠部内面に当接して直立状態を保持するようにし、しかる後に前記相対する係止片を台部に相対して設けた挿入孔に挿入係止して成るものである。【選択図】    図３
2007244574.tif 000002
【特許請求の範囲】
【請求項１】
脚部を構成する相対する枠部の上側縁部に折曲線を介して突設した係止片の左右両端部を脚部の上辺部を残して円弧状に形成するとともに切込み部を設け、脚部を構成する他の相対する枠部の上側縁部に折曲線を介して設けた抑止支持片の左右両端部を脚部の折畳み角部から連続して垂直に立つようにし、この抑止支持片は脚部の相対する枠部の内側方に曲折して前記係止片側の両枠部内面にその左右両端部を当接して直立状態を保持するようにし、しかる後に前記両係止片を台部に相対して設けた挿入孔に挿入係止して成ることを特徴とする飾り鏡餅用三方。
【請求項２】
請求項１に記載した構成の三方の台部の上面部に設けた挿入孔を略新月形状に形成して成る飾り鏡餅用三方。
【請求項３】
請求項１に記載した構成の三方の台部上面に所定の飾り鏡餅を載置して成る飾り鏡餅用包装容器。
【発明の詳細な説明】
【技術分野】
【０００１】
本発明は、飾り鏡餅を載置する三方及びこれらを収容する包装容器に関するものである。
【背景技術】
【０００２】
この種の物品に関する発明としては、従来次のようなものが刊行物公知となっているところ、これらのものは、使用者の立場を考慮して、三方の脚部と台部とを分離した状態で包装容器内に収容するのではなく、予め三方全体を組立てて鏡餅を載せた状態にして包装した容器で出荷し、購入した使用者はそのようにした包装容器から三方を含む中味部分を取り出すだけで、そのままで床の間などに飾って置くことができるようにするものである。
【０００３】
【特許文献１】特開２００１-２７８２５６号公報
【特許文献２】特開２００２−２８０６８号公報
【０００４】
しかしながら、これらの発明は、いずれも製餅メーカーの包装作業場において、三方その他全体の組立て作業として行わなければならないことが必須であるため、その作業中に種々の障害が起っていた。
【０００５】
即ち、三方の組立て時には、印刷工場から紙製の脚部は折畳み状態となって製餅工場に入荷されるものであるため、製餅工場の包装作業場において脚部の折畳み状態を解除して立体形状態に復元しようとしても、それまでの折畳み圧力の惰性が作用して脚部を四角形の安定状態に保持することがきわめて困難であったことから、三方の台部側の挿入孔に脚部側の突片を挿入係止する作業がスムースかつ迅速に行うことができない欠点があり、生産コストがかかる原因ともなっていた。
【０００６】
この原因は、台部の挿入孔形状を様々に工夫しても改善されず同様の結果となっていたのである。
【発明の開示】
【発明が解決しようとする課題】
【０００７】
そこで、本発明は従来発明の欠点を除去し、製餅工場の包装作業場における作業員による三方の組立て作業が常に円滑かつ迅速にできるようにすることを目的とするものである。
【課題を解決するための手段】
【０００８】
本発明に係る三方は、脚部を構成する相対する枠部の上側縁部に折曲線を介して突設した係止片の左右両端部を脚部の上辺部を残して円弧状に形成するとともに切込み部を設け、脚部を構成する他の相対する枠部の上側縁部に折曲線を介して設けた抑止支持片の左右両端部を脚部の折畳み角部から連続して垂直に立つようにし、この抑止支持片は脚部の相対する枠部の内側方に曲折して前記係止片側の両枠部内面に当接して直立状態を保持するようにし、しかる後に前記相対する係止片を台部に相対して設けた挿入孔に挿入係止して成るものである。
【発明の効果】
【０００９】
第１に、印刷工場から搬入した紙製三方を構成する脚部と台部との取付け組立てを製餅工場の包装作業場において短時間で的確に行うことができるから、その作業効率はきわめてよい。
【００１０】
第２に、三方の組立て作業を１人の作業員が両手で台部の左右両端部を把持してその係止孔を脚部の挿入片に挿入することを常に円滑かつ迅速に行うことができるようになる。即ち、作業員はその両手で台部の左右両端部を把持して台部の左右両側部の相対する位置に設けた略新月形状の挿入孔を、下方の脚部の枠部上の左右相対位置に設けた係止片に向って挿入することはきわめて自然であり合理的である。
【００１１】
これらの組立て作業が可能となったのは、四枠部から成る三方の脚部が相対する左右の抑止支持片の両端部の当接によって直立不動の安定した状態下で保持されているからであり、これによって飾り餅の包装作業全体の時間と労力の節約を実現することができる。
【発明を実施するための最良の形態】
【００１２】
いま製餅工場の作業員は三方の組立て作業工程において、まず折畳まれて搬入されて来た脚部を立体形状態に開拡した後、相対する抑止支持片を内側方に適度に曲折する。すると、これによって抑止支持片の左右両端部がそれぞれ脚部左右枠部の内面に当接することになるから、この当接圧によって脚部の折畳み角部がそれぞれ突っ張られて緊張して直立状態を保持するようになる。
【００１３】
次に作業員は、このように立体形体を安定した状態に保持した前記脚部の相対する左右挿入片に向って、両手で台部の左右両端部を把持して垂直方向に挿入し、挿入後は両挿入片を曲折すれば、三方全体の組立て作業は終了する。
【００１４】
その後は、前記台部上面に必要な飾り鏡餅などを載置すればよく、以上の作業が終了した時は、その全体を所定の包装箱に収容することになる。
【実施例】
【００１５】
１は四面の枠部１'，１'，１'，１'から成る三方の脚部で、この脚部全体は上下方向に開放されている。
【００１６】
２，２は前記脚部１の上側縁相対部に折曲線を介して突設した係止片で、水平状に成るこの係止片の左右両端部３，３は脚部上辺部４，４を残して円弧状に形成し、かつこの上辺部との接点では内方に切込み部５，５を設ける。
【００１７】
６，６は前記脚部１の係止片２，２とは別の上側縁相対部に折曲線を介して設けた抑止支持片で、この抑止支持片の左右両端部７，７は脚部上辺部を残すことなく折畳み角部８，８，８，８から連続して垂直に立っている。
【００１８】
前記抑止支持片６，６は、脚部１の各折畳み角部８，８，８，８を直立したとき、四面の枠部１'，１'，１'，１'から成る脚部１の内側方向に適度に曲折するようになる。これによって、前記両抑止支持片の左右両端部が、折畳み状態から垂直方向に直立した四角形に成る脚部１の各枠部面に当接して折畳み角部８，８，８，８が抑止固定され、その直立状態を保持することができるようになる。
【００１９】
９は四側縁部１０，１０，１０，１０が内側に折畳み状態に成る台部で、この台部の左右の相対位置には挿入孔１１，１１を設ける。この挿入孔は、外側線が直線状に、内側線が円弧状の略新月形状に成る。
【００２０】
作業員は両手を使って前記台部９の左右両端部を把持し、その左右の挿入孔１１，１１を、前記脚部１の左右相対位置に直立する係止片２，２に狙いを定めて挿入すればよい。
【図面の簡単な説明】
【００２１】
【図１】各部の組立て前の斜視図
【図２】要部の斜視図
【図３】要部の作業時の斜視図
【図４】組立て後の斜視図
【図５】図４Ａ−Ａ線の断面図
【図６】図４Ｂ−Ｂ線の断面図
【符号の説明】
【００２２】
１                      脚部
１'１'１'１          枠部
２，２                  係止片
３，３                  係止片の左右両端部
４，４                  脚部上辺部
５，５                  切込み部
６，６                  抑止支持片
７，７                  抑止支持片の左右両端部
８，８，８，８          折畳み角部
９                      台部
１０，１０，１０，１０  四側縁部
１１，１１              挿入孔
【図１】
2007244574.tif 000003
【図２】
2007244574.tif 000004
【図３】
2007244574.tif 000005
【図４】
2007244574.tif 000006
【図５】
2007244574.tif 000007
【図６】
2007244574.tif 000008